【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
対応する第１貫通開口（４）と第２貫通開口（５）とが第１部品と第２部品とに配置され、それらはリベット（６）の胴部（７）又はスクリューの胴部によって貫通され、そして、その際にリベット（６）又はスクリューは隣接する開口（４、５）の両側に開口（４、５）の直径よりも大きな直径を有するリベット頭部（８）、スクリュー頭部ないしナットを有し、第２部品（３）に対する第１部品（２）のリベット又はスクリュー接続（１）において、
少なくとも、リベット（６）又はスクリューの領域内で第１部品（２）は、第２部品（３）の方向に鉢形状の凹部（１０）を有し、その底部（１２）には第１貫通開口（４）が配置され、第１部品及び／又は第２部品の鉢形状凹部（１０）の壁部（１１）は、その周囲に沿って外方湾曲部（１５）及び／又は内方湾曲部（１６）を有することを特徴とするリベット又はスクリュー接続（１）。
【請求項２】
請求項１によるリベット又はスクリュー接続（１）において、
リベット（６）又はスクリューの領域内で第２部品（３）が第１部品（２）の方向に鉢形状の凹部（１０）を有し、その底部には第２貫通開口（５）が配置されていることを特徴とするリベット又はスクリュー接続（１）。
【請求項３】
請求項1または２によるリベット又はスクリュー接続（１）において、
第１部品及び／又は第２部品の凹部（１０）が、第１部品の側に配置されているリベット頭部（８）、スクリュー頭部又はナットの直径より大きい直径を有することを特徴とするリベット又はスクリュー接続（１）。
【請求項４】
請求項1ないし３のいずれか１項によるリベット又はスクリュー接続（１）において、
凹部（１０）は前記直径を有し、凹部（１０）の壁部（１１）が、リベット頭部（８）、スクリュー頭部又はナットから間隔を開けられていることを特徴とするリベット又はスクリュー接続（１）。
【請求項５】
請求項１ないし４のいずれか１項によるリベット又はスクリュー接続（１）において、
底部（１２）の領域内で凹部（１０）の直径ｄ１、リベット頭部（８）、スクリュー頭部又はナットの直径ｄ２に対して、ｄ１＞１．５＊ｄ２  特に、ｄ１＞２＊ｄ２  が適用されることを特徴とするリベット又はスクリュー接続（１）。
【請求項６】
請求項１ないし５のいずれか１項によるリベット又はスクリュー接続（１）において、
第１部品及び／又は第２部品の鉢形状凹部（１０）の壁部（１１）は、前記凹部（１０）への接続領域である凹部（１０）の底部（１２）と各第１又は第２部品（２）の領域との間で、外方へ広がり、その周囲に可変半径を有することを特徴とするリベット又はスクリュー接続（１）。
【請求項７】
請求項１ないし６のいずれか１項によるリベット又はスクリュー接続（１）において、
その壁部（１１）はその周囲に沿ってリベット又はスクリュー胴部（７）の軸に対して垂直な平面において、星形形状の断面を有することを特徴とするリベット又はスクリュー接続（１）。
【請求項８】
請求項６によるリベット又はスクリュー接続において、
その壁部（１１）はその周囲に沿って前記断面を有し、その壁部（１１）とリベット胴部（７）の軸（１３）に対する垂直平面間のその断面は、少なくとも３個の第１部位について、リベット胴部（７）の軸（１３）に対する局所的最小間隔を有し、その３個の第１部位の間にそれぞれ配置された、少なくとも３個の第２部位について、リベット又はスクリューの胴部（７）の軸（１３）に対する局所的最大間隔を有することを特徴とするリベット又はスクリュー接続（１）。
【請求項９】
請求項１ないし８のいずれか１項によるリベット又はスクリュー接続（１）において、
第１及び／又は第２部品の凹部（１０）のその底部（１２）は、凹部（１０）の外にその凹部（１０）の壁部（１１）へ接続する前記領域である、各第１及び／又は第２部品（２）の領域より大きな厚さを有することを特徴とするリベット又はスクリュー接続（１）。
【請求項１０】
請求項１ないし９のいずれか１項によるリベット又はスクリュー接続（１）において、
第１（４）及び／又は第２（５）開口にリベットマンドレルが配置されていないことを特徴とするリベット又はスクリュー接続（１）。
【請求項１１】
請求項１ないし１０のいずれか１項によるリベット又はスクリュー接続（１）において、
第１（２）及び／又は第２（３）部品は少なくとも部分的にプラスチックから構成され、又はプラスチックを含んでいることを特徴とするリベット又はスクリュー接続（１）。
【請求項１２】
請求項１ないし１１のいずれか１項によるリベット又はスクリュー接続（１）において、
第１（２）及び／又は第２（３）部品の凹部（１０）は、少なくとも部分的にプラスチックを含むか、又はプラスチックから構成されていることを特徴とするリベット又はスクリュー接続（１）。
【請求項１３】
請求項１ないし１２のいずれか１項によるリベット又はスクリュー接続（１）において、
その第２部品（３）が乗り物ドアのドアの内側金属薄板部品であることを特徴とするリベット又はスクリュー接続（１）。
【請求項１４】
請求項１ないし１３のいずれか１項によるリベット又はスクリュー接続（１）において、
第１部品（２）はドアモジュール、例えば、ウインドーリフト装置、又は乗り物ドアのウェットサイドとドライサイドとの間の隔壁であることを特徴とするリベット又はスクリュー接続（１）。
【請求項１５】
請求項１ないし１４のいずれか１項によるリベット又はスクリュー接続（１）は、乗り物製造、特に自動車製造の使用。 
【手続補正２】
【補正対象書類名】明細書
【補正対象項目名】０００７
【補正方法】変更
【補正の内容】
【０００７】
請求項１に記載の発明は、対応する第１貫通開口（４）と第２貫通開口（５）とが第１部品と第２部品とに配置され、それらはリベット（６）の胴部（７）又はスクリューの胴部によって貫通され、そして、その際にリベット（６）又はスクリューは隣接する開口（４、５）の両側に開口（４、５）の直径よりも大きな直径を有するリベット頭部（８）、スクリュー頭部ないしナットを有し、第２部品（３）に対する第１部品（２）のリベット又はスクリュー接続（１）において、少なくとも、リベット（６）又はスクリューの領域内で第１部品（２）は、第２部品（３）の方向に鉢形状の凹部（１０）を有し、その底部（１２）には第１貫通開口（４）が配置され、第１部品及び／又は第２部品の鉢形状凹部（１０）の壁部（１１）は、その周囲に沿って外方湾曲部（１５）及び／又は内方湾曲部（１６）を有することを特徴とするリベット又はスクリュー接続（１）である。 
【手続補正３】
【補正対象書類名】明細書
【補正対象項目名】０００８
【補正方法】変更
【補正の内容】
【０００８】
請求項２に記載の発明は、請求項１によるリベット又はスクリュー接続（１）において、リベット（６）又はスクリューの領域内で第２部品（３）が第１部品（２）の方向に鉢形状の凹部（１０）を有し、その底部には第２貫通開口（５）が配置されていることを特徴とするリベットまたはスクリュー接続（１）である。 
【手続補正４】
【補正対象書類名】明細書
【補正対象項目名】０００９
【補正方法】変更
【補正の内容】
【０００９】
請求項３に記載の発明は、請求項１または２によるリベット又はスクリュー接続（１）において、第１部品及び／又は第２部品の凹部（１０）が、第１部品の側に配置されているリベット頭部（８）、スクリュー頭部又はナットの直径より大きい直径を有することを特徴とするリベット又はスクリュー接続（１）である。 
【手続補正５】
【補正対象書類名】明細書
【補正対象項目名】００１０
【補正方法】変更
【補正の内容】
【００１０】
請求項４に記載の発明は、請求項１ないし３のいずれか１項によるリベット又はスクリュー接続（１）において、  凹部（１０）は前記直径を有し、凹部（１０）の壁部（１１）が、リベット頭部（８）、スクリュー頭部又はナットから間隔を開けられていることを特徴とするリベット又はスクリュー接続（１）である。 
【手続補正６】
【補正対象書類名】明細書
【補正対象項目名】００１１
【補正方法】変更
【補正の内容】
【００１１】
請求項５に記載の発明は、請求項１ないし４のいずれか１項によるリベット又はスクリュー接続（１）において、底部（１２）の領域内で凹部（１０）の直径ｄ１、リベット頭部（８）、スクリュー頭部又はナットの直径ｄ２に対して、ｄ１＞１．５＊ｄ２  特に、ｄ１＞２＊ｄ２  が適用されることを特徴とするリベット又はスクリュー接続（１）である。 
【手続補正７】
【補正対象書類名】明細書
【補正対象項目名】００１２
【補正方法】変更
【補正の内容】
【００１２】
請求項６に記載の発明は、請求項１ないし５のいずれか１項によるリベット又はスクリュー接続（１）において、第１部品及び／又は第２部品の鉢形状凹部（１０）の壁部（１１）は、前記凹部（１０）への接続領域である凹部（１０）の底部（１２）と各第１又は第２部品（２）の領域との間で、外方へ広がり、その周囲に可変半径を有することを特徴とするリベット又はスクリュー接続（１）である。 
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
請求項７に記載の発明は、請求項１ないし６のいずれか１項によるリベット又はスクリュー接続（１）において、その壁部（１１）はその周囲に沿ってリベット又はスクリュー胴部（７）の軸に対して垂直な平面において、星形形状の断面を有することを特徴とするリベット又はスクリュー接続（１）である。 
【手続補正１０】
【補正対象書類名】明細書
【補正対象項目名】００１５
【補正方法】変更
【補正の内容】
【００１５】
請求項８に記載の記載の発明は、請求項６によるリベット又はスクリュー接続において、その壁部（１１）はその周囲に沿って前記断面を有し、その壁部（１１）とリベット胴部（７）の軸（１３）に対する垂直平面間のその断面は、少なくとも３個の第１部位について、リベット胴部（７）の軸（１３）に対する局所的最小間隔を有し、その３個の第１部位の間にそれぞれ配置された、少なくとも３個の第２部位について、リベット又はスクリュー胴部（７）の軸（１３）に対する局所的最大間隔を有することを特徴とするリベット又はスクリュー接続（１）である。 
【手続補正１１】
【補正対象書類名】明細書
【補正対象項目名】００１６
【補正方法】変更
【補正の内容】
【００１６】
請求項９に記載の発明は、請求項１ないし８のいずれか１項によるリベット又はスクリュー接続（１）において、
第１及び／又は第２部品の凹部（１０）のその底部（１２）は、凹部（１０）の外にその凹部（１０）の壁部（１１）へ接続する前記領域である、各第１及び／又は第２部品（２）の領域より大きな厚さを有することを特徴とするリベットまたはスクリュー接続（１）である。 
【手続補正１２】
【補正対象書類名】明細書
【補正対象項目名】００１７
【補正方法】変更
【補正の内容】
【００１７】
請求項１０に記載の発明は、請求項１ないし９のいずれか１項によるリベット又はスクリュー接続（１）において、
第１（４）及び／又は第２（５）開口にリベットマンドレルが配置されていないことを特徴とするリベットまたはスクリュー接続（１）である。 
【手続補正１３】
【補正対象書類名】明細書
【補正対象項目名】００１８
【補正方法】変更
【補正の内容】
【００１８】
請求項１１に記載の発明は、請求項１ないし１０のいずれか１項によるリベット又はスクリュー接続（１）において、
第１（２）及び／又は第２（３）部品は少なくとも部分的にプラスチックから構成され、又はプラスチックを含んでいることを特徴とするリベットまたはスクリュー接続である。 
【手続補正１４】
【補正対象書類名】明細書
【補正対象項目名】００１９
【補正方法】変更
【補正の内容】
【００１９】
請求項１２に記載の発明は、請求項１ないし１１のいずれか１項によるリベット又はスクリュー接続（１）において、第１（２）及び／又は第２（３）部品の凹部（１０）は、少なくとも部分的にプラスチックを含むか、又はプラスチックから構成されていることを特徴とするリベット又はスクリュー接続（１）である。 
【手続補正１５】
【補正対象書類名】明細書
【補正対象項目名】００２０
【補正方法】変更
【補正の内容】
【００２０】
請求項１３に記載の発明は、請求項１ないし１２のいずれか１項によるリベット又はスクリュー接続（１）において、その第２部品（３）が乗り物ドアのドアの内側金属薄板部品であることを特徴とするリベットまたはスクリュー接続（１）である。 
【手続補正１６】
【補正対象書類名】明細書
【補正対象項目名】００２１
【補正方法】変更
【補正の内容】
【００２１】
請求項１４に記載の発明は、請求項１ないし１３のいずれか１項によるリベット又はスクリュー接続（１）において、第１部品（２）はドアモジュール、例えば、ウインドーリフト装置、又は乗り物ドアのウェットサイドとドライサイドとの間の隔壁であることを特徴とするリベット又はスクリュー接続（１）である。 
【手続補正１７】
【補正対象書類名】明細書
【補正対象項目名】００２２
【補正方法】変更
【補正の内容】
【００２２】
請求項１５に記載の発明は、請求項１ないし１４のいずれか１項によるリベット又はスクリュー接続（１）は、乗り物製造、特に自動車製造の使用である。